(57)【要約】【課題】  左右風向偏向板が回動したときに表面積が大きくなるように構成して、左右の風向偏向能力を向上できるようにした空気調和機を提供する。【解決手段】  吸込口１と吹出口２とを結ぶ空気通路に送風ファン４を設け、前記吹出口２に駆動装置が連係された複数の左右風向偏向板６を支持してなる空気調和機において、前記左右風向偏向板６が、回動可能に支持される支持部７を備えた主風向偏向部８と、同主風向偏向部８に保持される補助風向偏向部９とからなり、回動時に、前記主風向偏向部８から前記補助風向偏向部９を延出してなる構成にした。【選択図】  図１
2008275252.tif 000002
【特許請求の範囲】
【請求項１】
吸込口と吹出口とを結ぶ空気通路に送風ファンを設け、前記吹出口に駆動装置が連係された複数の左右風向偏向板を支持してなる空気調和機において、
前記左右風向偏向板が、回動可能に支持される支持部を備えた主風向偏向部と、同主風向偏向部に保持される補助風向偏向部とからなり、回動時に、前記主風向偏向部から前記補助風向偏向部を延出してなることを特徴とする空気調和機。
【請求項２】
前記補助風向偏向部を延出する延出手段が、同補助風向偏向部を所定の前後位置に保持する保持部と、同補助風向偏向部が前記主風向偏向部に沿ってスライドするスライド部とからなることを特徴とする請求項１に記載の空気調和機。
【請求項３】
前記駆動装置が、前記主風向偏向部に連係する駆動部材を備え、前記保持部が、前記補助風向偏向部を連結して所定の前後位置に保持される保持部材からなることを特徴とする請求項１または請求項２に記載の空気調和機。
【請求項４】
前記駆動装置が、前記主風向偏向部に連係する駆動部材を備え、前記保持部が、前記吹出口の送風面に設けられ、前記補助風向偏向部に設けた係合軸を所定の前後位置に保持する係合部からなることを特徴とする請求項１または請求項２に記載の空気調和機。
【請求項５】
前記駆動装置が、前記補助風向偏向部に連係する駆動部材を備え、前記保持部が、前記補助風向偏向部に連係して所定の前後位置に保持される前記駆動部材からなることを特徴とする請求項１または請求項２に記載の空気調和機。
【発明の詳細な説明】
【技術分野】
【０００１】
本発明は、空気調和機に係わり、より詳細には、左右風向偏向板が回動したときに表面積が大きくなるように構成して、左右の風向偏向能力を向上できるようにした構造に関する。
【背景技術】
【０００２】
従来の空気調和機は、吹出口に設けられた左右風向偏向板を左右に回動して左右方向の風向を偏向できる構成になっており、同左右風向偏向板の表面積を大きくすることで風向偏向性能を高めることができることが知られていた。
【０００３】
左右方向の風向偏向性能を高めるため、例えば図５（Ａ）および図５（Ｂ）に示すように、吹出口６’の可動ディフューザ１３’が回動し、室内へ送出する温風が下向きになった場合でも、左右風向偏向板１４Ａによる風向調節が充分に行なえるようにした空気調和機の室内機として、
筐体下部前方の吹出口６’に室内への風向を上下に調節する上下風向偏向板１１’を設けるとともに、同吹出口６’の下部先端に上下方向に駆動部１２’により回動する可動ディフューザ１３’を設け、同可動ディフューザ１３’の上部に室内への風向を左右に調節する左右風向偏向板１４Ａを設け、暖房運転時に上下風向偏向板１１’と可動ディフューザ１３’とをほぼ垂直方向に回動させ、温風を下向きに送出する室内機において、前記左右風向偏向板１４Ａを可動ディフューザ１３’の上部に設ける主風向偏向板１５’と、運転停止中は風向偏向板本体内に収まり、運転モードに対応して可動ディフューザ１３’が回動すると主風向偏向板１５’から前方に延出するようにした補助風向偏向板１６’とで構成したものが開示されていた（例えば、特許文献１参照。）。
【０００４】
しかしながら、上述した構成でなる空気調和機は、可動ディフューザ１３’を備えた吹出口６’の構造でなるものであって、運転モードに対応して可動ディフューザ１３’が回動すると主風向偏向板１５’から前方に延出する補助風向偏向板１６’を備えたという特有の構成であることから、可動ディフューザ１３’を備えていない吹出口６’の構造でなるものにおいては、可動ディフューザ１３’が回動すると主風向偏向板１５’から前方に延出する補助風向偏向板１６’を備える構成を適用できないという問題点を有していた。
【特許文献１】特開２００４−２２５９７２号公報
【発明の開示】
【発明が解決しようとする課題】
【０００５】
そこで、本発明は上述した課題を解決するためになされたものであって、その目的は、可動ディフューザがないものであっても、風向偏向板を主風向偏向板と補助風向偏向板とで構成し、回動時に、主風向偏向板から補助風向偏向板を延出させることで風向偏向板としての表面積を増加させるようにし、左右の風向偏向能力を向上できるようにした空気調和機を提供することにある。
【課題を解決するための手段】
【０００６】
上述した目的を達成するため、本発明は以下に示す特徴を備えている。
【０００７】
吸込口と吹出口とを結ぶ空気通路に送風ファンを設け、前記吹出口に駆動装置が連係された複数の左右風向偏向板を支持してなる空気調和機において、
前記左右風向偏向板が、回動可能に支持される支持部を備えた主風向偏向部と、同主風向偏向部に保持される補助風向偏向部とからなり、回動時に、前記主風向偏向部から前記補助風向偏向部を延出してなることを特徴としている。
【０００８】
また、前記補助風向偏向部を延出する延出手段が、同補助風向偏向部を所定の前後位置に保持する保持部と、同補助風向偏向部が前記主風向偏向部に沿ってスライドするスライド部とからなることを特徴としている。
【０００９】
また、前記駆動装置が、前記主風向偏向部に連係する駆動部材を備え、前記保持部が、前記補助風向偏向部を連結して所定の前後位置に保持される保持部材からなることを特徴としている。
【００１０】
また、前記駆動装置が、前記主風向偏向部に連係する駆動部材を備え、前記保持部が、前記吹出口の送風面に設けられ、前記補助風向偏向部に設けた係合軸を所定の前後位置に保持する係合部からなることを特徴としている。
【００１１】
また、前記駆動装置が、前記補助風向偏向部に連係する駆動部材を備え、前記保持部が、前記補助風向偏向部に連係して所定の前後位置に保持される前記駆動部材からなることを特徴としている。
【発明の効果】
【００１２】
本発明によれば、左右風向偏向板が回動したとき、同左右風向偏向板の表面積が大きくなるように構成されているので、吹出口から吹き出される空気は、表面積が大きくなった左右風向偏向板で風向を偏向できるようになることから、左右の風向偏向能力を向上できるようにした空気調和機を提供できる。
【発明を実施するための最良の形態】
【００１３】
次に、本発明の実施形態について図面を参照しながら説明する。
【００１４】
図１は本発明による空気調和機の説明図で、図１（Ａ）は実施例１を示す断面図、図１（Ｂ）は実施例２を示す要部断面図であり、図２は本発明による空気調和機の実施例１を示す要部説明図で、図２（Ａ）は補助風向偏向板の延出前の状態を示す平面図、図２（Ｂ）は補助風向偏向板の延出前の状態を示す側面図、図２（Ｃ）は補助風向偏向板の延出後の状態を示す平面図、図２（Ｄ）は補助風向偏向板の延出後の状態を示す側面図であり、図３は本発明による空気調和機の実施例２を示す要部説明図で、図３（Ａ）は補助風向偏向板の延出前の状態を示す平面図、図３（Ｂ）は補助風向偏向板の延出前の状態を示す側面図、図３（Ｃ）は補助風向偏向板の延出後の状態を示す平面図、図３（Ｄ）は補助風向偏向板の延出後の状態を示す側面図であり、図４は本発明による空気調和機の実施例３を示す要部説明図で、図４（Ａ）は補助風向偏向板の延出前の状態を示す平面図、図４（Ｂ）は補助風向偏向板の延出前の状態を示す側面図、図４（Ｃ）は補助風向偏向板の延出後の状態を示す平面図、図４（Ｄ）は補助風向偏向板の延出後の状態を示す側面図である。
【００１５】
本発明による空気調和機は、図１（Ａ）と、図２（Ａ）乃至図２（Ｄ）とに示すように、吸込口１と吹出口２とを結ぶ空気通路に熱交換器３と送風ファン４とを設け、前記吹出口２に、支軸１１によって回動可能に軸支され、上下方向の風向を偏向する上下風向偏向板１２を設けるとともに、駆動装置の駆動部材５が連係して左右方向の風向を偏向する複数の左右風向偏向板６を、支持部７により回動可能に支持した構成になっている。
【００１６】
前記左右風向偏向板６は、前記支持部７を備えた主風向偏向部８と、同主風向偏向部８にスライド可能に保持された補助風向偏向部９とからなり、前記主風向偏向部８の回動時に、同主風向偏向部８に沿って前記補助風向偏向部９が延出する構成になっている。
【００１７】
前記左右風向偏向板６は、左右に往復回動して前記吹出口２から吹き出される吹出空気の左右方向の風向を偏向する際、前記主風向偏向部８が前記支持部７を中心に回動することによって、同主風向偏向部８から前記補助風向偏向部９が延出して表面積を拡大できるようになっている。
【００１８】
前記左右風向偏向板６を駆動する駆動装置は駆動モータ１３と駆動部材５とからなる構成になっている。
【００１９】
そして、前記左右風向偏向板６は、前記駆動装置によって左右に往復回動した際、前記主風向偏向部８から、同主風向偏向部８に沿って前記補助風向偏向部９が前方に延出することで表面積が拡大される。
【００２０】
前記左右風向偏向板６の表面積が拡大されることにより、同左右風向偏向板６に当たることで風向偏向される風量が増加することになり、左右方向の風向をより効果的に偏向できるようになる。
【００２１】
また、前記左右風向偏向板６が回動しない場合には、前記主風向偏向部８から前記補助風向偏向部９が延出しないことから、延出した場合に比べて前後の長さ寸法を小さく抑えることができるようになる。
【００２２】
なお、前記吹出口２の正面方向に空気を吹き出す場合は、風向を偏向しないので、前記左右風向偏向板６の表面積は拡大されなくてもよい。
【実施例１】
【００２３】
ここで、実施例１として示す図１（Ａ）と、図２（Ａ）および図２（Ｂ）とに基づいて、前記左右風向偏向板６の詳細な構成について説明する。
【００２４】
前記左右風向偏向板６は、前記吹出口２の送風面に設けられた支軸孔２ａにより回動可能に支持される前記支持部７を備え、前記駆動部材５に設けられた連結孔５ｂに連結する連結軸８ｂを備え、前後に延びる複数のスライド孔８ａを備えた主風向偏向部８と、回動時に、同主風向偏向部８から、同主風向偏向部８に沿って延出する補助風向偏向部９とで構成されている。
【００２５】
前記補助風向偏向部９は、保持部材１０を左右に連通する連通孔９ｂを備え、前記スライド孔８ａにスライド可能に係合する複数のスライド軸９ａを備えている。
【００２６】
前記駆動部材５の一端には連係孔５ａが設けられ、同連係孔５ａには、駆動モータ１３の駆動アーム１３ａ先端に設けられた駆動軸１３ｂが連係されている。
【００２７】
次に、上述した構成により、図２（Ｃ）および図２（Ｄ）に基づいて前記左右風向偏向板６の動作について説明する。前記駆動モータ１３を起動し、前記駆動アーム１３ａが回動することによって前記駆動部材５が矢印ａの方向に移動することになり、同駆動部材５の連結孔５ｂに連結された前記主風向偏向部８の連結軸８ｂが矢印ａの方向に移動して、同主風向偏向部８が前記支持部７を中心に前記矢印ｂの方向に回動する。
【００２８】
前記主風向偏向部８が回動する際、前記補助風向偏向部９の連通孔９ｂに前記保持部材１０が連通していて、同連通孔９ｂの前後位置が移動しないように同保持部材１０により位置決めされている。
【００２９】
これにより、前記主風向偏向部８のスライド孔８ａに係合した前記補助風向偏向部９のスライド軸９ａがスライドして、矢印ｃに示すように同補助風向偏向部９が前方に延出する。なお、前記保持部材１０は、図示はしないが、例えば前記吹出口２の側壁に設けられた位置決め孔に挿通するなどにより、前後位置が移動しないように保持される構成にしている。
【００３０】
前記補助風向偏向部９が前記主風向偏向部８の前方に延出したことで、前記左右風向偏向板６全体としての表面積が拡大することになり、上述したように、同左右風向偏向板６に当たることで風向偏向される風量が増加することになり、左右方向の風向をより効果的に偏向できるようになる。
【００３１】
また、図２（Ａ）および図２（Ｂ）に基づいて上述した前記左右風向偏向板６と、図２（Ｃ）および図２（Ｄ）に基づいて上述した前記左右風向偏向板６とは、前記吹出口２における前後の占有範囲が同等であって、とくに、前記左右風向偏向板６が回動しないときの占有範囲を大きく確保しなくて済むことから、前記吹出口２の奥行き寸法のコンパクト化に寄与できるようになる。
【実施例２】
【００３２】
次に、実施例２として示す図１（Ｂ）と、図３（Ａ）および図３（Ｂ）とに基づいて、前記左右風向偏向板６の詳細な構成について説明する。
【００３３】
前記左右風向偏向板６は、上述した実施例１と同様に、前記吹出口２の送風面に設けられた支軸孔２ａにより回動可能に支持される前記支持部７を備え、前記駆動部材５に設けられた連結孔５ｂに連結する連結軸８ｂを備え、前後に延びる複数のスライド孔８ａを備えた主風向偏向部８と、同主風向偏向部８から、同主風向偏向部８に沿って回動時に延出する補助風向偏向部９とで構成されている。
【００３４】
前記補助風向偏向部９は、実施例１と同様に、前記スライド孔８ａにスライド可能に係合する複数のスライド軸９ａを備えている。
【００３５】
また、前記駆動部材５の一端には連係孔５ａが設けられ、同連係孔５ａには、駆動モータ１３の駆動アーム１３ａ先端に設けられた駆動軸１３ｂが連係されている。
【００３６】
前記補助風向偏向部９には保持軸９ｃが突設されており、同保持軸９ｃが、前記吹出口２の底壁面２１に設けられた左右に延びる保持孔２ｂに保持されている。
【００３７】
次に、上述した構成により、図３（Ｃ）および図３（Ｄ）に基づいて前記左右風向偏向板６の動作について説明する。前記駆動モータ１３を起動し、前記駆動アーム１３ａが回動することによって前記駆動部材５が矢印ａの方向に移動することになり、同駆動部材５の連結孔５ｂに連結された主風向偏向部８の連結軸８ｂが矢印ａの方向に移動して、前記主風向偏向部８が前記支持部７を中心に前記矢印ｂの方向に回動する。
【００３８】
前記主風向偏向部８が回動する際、前記吹出口２の保持孔２ｂに前記補助風向偏向部９の保持軸９ｃが左右にスライド可能に保持されていて、同保持軸９ｃの前後位置が移動しないように同保持孔２ｂにより位置決めされている。
【００３９】
これにより、前記主風向偏向部８のスライド孔８ａに係合した前記補助風向偏向部９のスライド軸９ａがスライドして、矢印ｃに示すように同補助風向偏向部９が前方に延出する。
【００４０】
前記補助風向偏向部９が前記主風向偏向部８の前方に延出したことで、実施例１の場合と同様に、前記左右風向偏向板６全体としての表面積が拡大することになり、上述したように、同左右風向偏向板６に当たることで風向偏向される風量が増加することになり、左右方向の風向をより効果的に偏向できるようになる。
【００４１】
また、図２（Ａ）および図２（Ｂ）に基づいて上述した前記左右風向偏向板６と、図２（Ｃ）および図２（Ｄ）に基づいて上述した前記左右風向偏向板６とは、前記吹出口２における前後の占有範囲が同等であって、とくに、前記左右風向偏向板６が回動しないときの占有範囲を大きく確保しなくて済むことから、前記吹出口２の奥行き寸法のコンパクト化に寄与できるようになる。
【実施例３】
【００４２】
次に、実施例３として示す図４（Ａ）および図４（Ｂ）に基づいて、前記左右風向偏向板６の詳細な構成について説明する。
【００４３】
前記左右風向偏向板６は、上述した実施例１および実施例２と同様に、前記吹出口２に設けられた支軸孔２ａにより回動可能に支持される支持部７を備え、前後に延びる複数のスライド孔８ａを備えた主風向偏向部８と、同主風向偏向部８から、同主風向偏向部８に沿って回動時に延出する補助風向偏向部９とで構成されている。
【００４４】
前記補助風向偏向部９は、同補助風向偏向部９に設けられた連係軸９ｄに前記駆動部材５に設けられた連結孔５ｂを連係することによって互いに連結されるとともに、同駆動部材５の一端には長孔状の連係孔５ａが設けられ、同連係孔５ａには、駆動モータ１３の駆動アーム１３ａ先端に設けられた駆動軸１３ｂが連係されている。
【００４５】
また、前記駆動部材５は、前記吹出口２の側壁面２２に設けられた挿通孔２ｃに挿通することで、前後方向に移動しないように規制されている。
【００４６】
次に、上述した構成により、図４（Ｃ）および図４（Ｄ）に基づいて前記左右風向偏向板６の動作について説明する。前記駆動モータ１３を起動し、前記駆動アーム１３ａが回動することによって前記駆動部材５が矢印ａの方向に移動する。
【００４７】
これにより、前記駆動部材５の連結孔５ｂに連結された前記補助風向偏向部９の連係軸９ｄが矢印ａの方向に移動して、前記主風向偏向部８が前記支持部７を中心に前記矢印ｂの方向に回動する。
【００４８】
前記主風向偏向部８が回動する際、同主風向偏向部８のスライド孔８ａに係合した前記補助風向偏向部９のスライド軸９ａがスライドして、矢印ｃに示すように同補助風向偏向部９が前方に延出する。
【００４９】
前記補助風向偏向部９が前記主風向偏向部８の前方に延出したことで、前記左右風向偏向板６全体としての表面積が拡大することになり、上述したように、同左右風向偏向板６に当たることで風向偏向される風量が増加することになり、左右方向の風向をより効果的に偏向できるようになる。
【００５０】
また、図２（Ａ）および図２（Ｂ）と、図３（Ａ）および図３（Ｂ）とに基づいて上述した前記左右風向偏向板６と、図２（Ｃ）および図２（Ｄ）と、図３（Ｃ）および図３（Ｄ）とに基づいて上述した前記左右風向偏向板６とは、前記吹出口２における前後の占有範囲が同等であって、とくに、前記左右風向偏向板６が回動しないときの占有範囲を大きく確保しなくて済むことから、前記吹出口２の奥行き寸法のコンパクト化に寄与できるようになる。
【図面の簡単な説明】
【００５１】
【図１】本発明による空気調和機の説明図で、（Ａ）は実施例１を示す断面図であり、（Ｂ）は実施例２を示す要部断面図である。
【図２】本発明による空気調和機の実施例１を示す要部説明図で、（Ａ）は補助風向偏向板の延出前の状態を示す平面図であり、（Ｂ）は補助風向偏向板の延出前の状態を示す側面図であり、（Ｃ）は補助風向偏向板の延出後の状態を示す平面図であり、（Ｄ）は補助風向偏向板の延出後の状態を示す側面図である。
【図３】本発明による空気調和機の実施例２を示す要部説明図で、（Ａ）は補助風向偏向板の延出前の状態を示す平面図であり、（Ｂ）は補助風向偏向板の延出前の状態を示す側面図であり、図３（Ｃ）は補助風向偏向板の延出後の状態を示す平面図であり、（Ｄ）は補助風向偏向板の延出後の状態を示す側面図である。
【図４】本発明による空気調和機の実施例３を示す要部説明図で、（Ａ）は補助風向偏向板の延出前の状態を示す平面図であり、（Ｂ）は補助風向偏向板の延出前の状態を示す側面図であり、（Ｃ）は補助風向偏向板の延出後の状態を示す平面図であり、（Ｄ）は補助風向偏向板の延出後の状態を示す側面図である。
【図５】従来例による空気調和機の要部説明図で、（Ａ）は冷房運転時にディフューザが回動する前の状態を示す断面図であり、（Ｂ）は暖房運転時にディフューザが回動した後の状態を示す断面図である。
【符号の説明】
【００５２】
１  吸込口
２  吹出口
２１  底壁面
２２  側壁面
２ａ  支軸孔
２ｂ  保持孔
２ｃ  挿通孔
３  熱交換器
４  送風ファン
５  駆動部材
５ａ  連係孔
５ｂ  連結孔
６  左右風向偏向板
７  支軸
８  主風向偏向部
８ａ  スライド孔
８ｂ  連結軸
９  補助風向偏向部
９ａ  スライド軸
９ｂ  連通孔
９ｃ  保持軸
９ｄ  連係軸
１０  保持部材
１１  支軸
１２  上下風向偏向板
１３  駆動モータ
１３ａ  駆動アーム
１３ｂ  駆動軸
【図１】
2008275252.tif 000003
【図２】
2008275252.tif 000004
【図３】
2008275252.tif 000005
【図４】
2008275252.tif 000006
【図５】
2008275252.tif 000007